(57)【要約】【課題】組立て紙箱の折り込み舌片や側面等に販促広告機能を持たせた組立て紙箱を提供する。【解決手段】略直方体形状の組立て紙箱Ａの折り目を介して設けられた左側折り込み舌片９に、商品の販売を促進し、広告する機能を有する文字、図柄から成る販促広告機能表示エリア９ａを記載し、当該舌片９の折り目に点線状の切り込み９ｂを設けて当該組立て紙箱Ａから切り離し自在な構成とし、さらに、上記組立て紙箱Ａの天板又は側板に、商品の販売を促進し、広告する機能を有する文字、図柄を記載した。【選択図】図１
0003204141.tif 000002
【実用新案登録請求の範囲】
【請求項１】
略直方体形状の組立て紙箱の折り目を介して設けられた折り込み片である舌片に、商品の販売を促進し、広告する機能を有する文字、図柄を記載し、
当該舌片の折り目に点線状の切り込みを設けて当該組立て紙箱から切り離し自在な構成としたことを特徴とする、販促広告機能付組立て紙箱。
【請求項２】
略直方体形状の組立て紙箱の折り目を介して設けられた折り込み片である舌片に、商品の販売を促進し、広告する機能を有する文字、図柄を記載し、
当該舌片の折り目に一端から一定長切り込んで紙箱から切り離し自在な構成としたことを特徴とする、販促広告機能付組立て紙箱。
【請求項３】
略直方体形状の組立て紙箱の折り目を介して設けられた折り込み片である舌片の一部に販促広告機能表示エリアを設け、当該販促広告機能表示エリアに商品の販売を促進し、広告する機能を有する文字、図柄を記載し、
当該販促広告機能表示エリアを区画する線を点線状の切り込み又は一定長の切り込みとして設け、当該販促広告機能表示エリアを上記舌片から切り取り自在に設けたことを特徴とする、販促広告機能付組立て紙箱。
【請求項４】
上記組立て紙箱の天板又は側板に、商品の販売を促進し、広告する機能を有する文字、図柄を記載したことを特徴とする、上記請求項１、２又は３の何れかに記載の販促広告機能付組立て紙箱。
【請求項５】
上記組立て紙箱は、上部に把手部を設けたいわゆるキャリータイプ又は上部に把手部を設けていないボックスタイプであることを特徴とした、上記請求項１、２、３又は４の何れかに記載の販促広告機能付組立て紙箱。
【考案の詳細な説明】
【技術分野】
【０００１】
この考案は、洋菓子店で購入されたケーキ等を持ち帰る際に使用する組立て紙箱であって、折り込み舌片や側面等のスペースに、商品の販売を促進（以下、「販促」と言う）し、広告する機能を有する文字や絵柄等を記載した販促広告機能を持たせた組立て紙箱に関するものである。
【背景技術】
【０００２】
従来、洋菓子店においては、商品であるケーキ等を販売する際、組立て紙箱に入れて販売している。この様な組立て紙箱は、組立てが容易、安価であり、また、軽量であり、購入後の処分も容易であって盛んに利用されている。
【先行技術文献】
【非特許文献】
【０００３】
【非特許文献１】柳井紙工株式会社1993年7月20日発行「やないの箱型録」                表紙、該当頁  奥付及び裏表紙
【０００４】
この様な組立て紙箱の例として、非特許文献１に記載されたものがある。この非特許文献１の組立て紙箱は、大きく分けて、上部に把手部を設けたいわゆるキャリータイプと上部に把手部を設けていないボックスタイプの二種類がある。
【考案の概要】
【考案が解決しようとする課題】
【０００５】
この様に、盛んに使用されている組立て紙箱であるが、箱の色としては白色で、側面は無地で何も記載されていないものが多い。一方、洋菓子店においては、店の案内やセール等、店の情報などを費用安く、消費者にアピールすることが望まれる。
【０００６】
この考案は、この様な状況に鑑みて為されたもので、上記組立て紙箱の折り込み舌片や側面等に販促広告機能を持たせた組立て紙箱を提供して上記課題を解決するものである。
【課題を解決するための手段】
【０００７】
請求項１の考案は、略直方体形状の組立て紙箱の折り目を介して設けられた折り込み片である舌片に、商品の販売を促進し、広告する機能を有する文字、図柄を記載し、当該舌片の折り目に点線状の切り込みを設けて当該組立て紙箱から切り離し自在な構成とした、販促広告機能付組立て紙箱とした。
【０００８】
請求項２の考案は、略直方体形状の組立て紙箱の折り目を介して設けられた折り込み片である舌片に、商品の販売を促進し、広告する機能を有する文字、図柄を記載し、当該舌片の折り目に一端から一定長切り込んで紙箱から切り離し自在な構成とした、販促広告機能付組立て紙箱とした。
【０００９】
請求項３の考案は、略直方体形状の組立て紙箱の折り目を介して設けられた折り込み片である舌片の一部に販促広告機能表示エリアを設け、当該販促広告機能表示エリアに商品の販売を促進し、広告する機能を有する文字、図柄を記載し、当該販促広告機能表示エリアを区画する線を点線状の切り込み又は一定長の切り込みとして設け、当該販促広告機能表示エリアを上記舌片から切り取り自在に設けた、販促広告機能付組立て紙箱とした。
【００１０】
請求項４の考案は、上記組立て紙箱の天板又は側板に、商品の販売を促進し、広告する機能を有する文字、図柄を記載した、上記請求項１、２又は３の何れかに記載の販促広告機能付組立て紙箱とした。
【００１１】
請求項５の考案は、上記組立て紙箱は、上部に把手部を設けたいわゆるキャリータイプ又は上部に把手部を設けていないボックスタイプである、上記請求項１、２、３又は４の何れかに記載の販促広告機能付組立て紙箱とした。
【考案の効果】
【００１２】
請求項１、２及び３の各考案によれば、通常使用している既存の組立て紙箱を利用して自店の案内やセール等、店の情報などを購入者にアピールすることが出来るので、費用が格段に安く、また、アピール出来る内容や期間なども自由に決めることが出来、使い勝手の良い、商品の販促広告を行うことが出来る。
【００１３】
また、組立て紙箱に元からある折り込み片である舌片又は当該舌片の一部に、商品の販売を促進し、広告する機能を有する文字、図柄を記載し、当該舌片の折り目等に点線状等の切り込みを入れて容易に切り離しが出来る様にしたので、購入者としても違和感が無く、利用し易い。
【００１４】
請求項４の考案によれば、上記舌片に加えて、組立て紙箱の天板又は側板に、商品を販促し、広告する機能を有する文字、図柄を記載したので、商品の購入者に、良く見え、当該購入者に新たな商品の購入意識を喚起させるものとなる。
【００１５】
さらに、請求項５の考案によれば、上記組立て紙箱は、既存のキャリータイプ又はボックスタイプのものとしたので、使い慣れており、より利用し易いものとなる。
【図面の簡単な説明】
【００１６】
【図１】この考案の実施の形態例１のいわゆるキャリータイプの販促広告機能付組立て紙箱であって、前側板を開いた状態の斜視図である。
【図２】この考案の実施の形態例１のいわゆるキャリータイプの販促広告機能付組立て紙箱の前側面を上にした展開図である。
【図３】この考案の実施の形態例１のいわゆるキャリータイプの販促広告機能付組立て紙箱の左側板と左側折り込み舌片付近の一部拡大図である。
【図４】この考案の実施の形態例１のいわゆるキャリータイプの販促広告機能付組立て紙箱を組立てた状態の斜視図である。
【図５】この考案の実施の形態例２のボックスタイプの販促広告機能付組立て紙箱の前側面を上にした展開図である。
【図６】この考案の実施の形態例２のボックスタイプの販促広告機能付組立て紙箱の天板及び前側板を開いた状態の斜視図である。
【図７】この考案の実施の形態例２のボックスタイプの販促広告機能付組立て紙箱の天板を開いた状態の斜視図である。
【考案を実施するための形態】
【００１７】
（実施の形態例１）
以下、この考案の実施の形態例１の販促広告機能付組立て紙箱（以下、単に「組立て紙箱」と言う。）を図に基づいて説明する。この実施の形態例１の組立て紙箱Ａは、一般に洋菓子店で用いられている、横長直方体形状であって、図１及び図４に示す様に、上部に把手部を設けたいわゆるキャリータイプ（以下、単に「キャリータイプ」と言う。）のものである。
【００１８】
このキャリータイプの組立て紙箱Ａは、図２（この図２は展開図であるが、図上の前後方向と、前側板及び後側板の位置が逆になっている。）で説明すると、底板１の後端に折り目を介して前側板２を設け、この前側板２の後端に折り目を介して前天板３を設け、この前天板３の後端に折り目を介して前把手部４を設けている。また、上記底板１の前端に折り目を介して後側板５を設け、この後側板５の前端に折り目を介して後天板６を設け、この後天板６の前端に折り目を介して後把手部７を設けている。
【００１９】
また、底板１の左端に折り目を介して左側板８を設け、この左側板８の後端に折り目を介して略長方形状の左側折り込み舌片９を設けている。右側も同様である。また、これらの板体に付随して多数の折り込み片である舌片が折り目を介して設けられている。
【００２０】
上記左側折り込み舌片９の表面の一部を販促広告機能表示エリア９ａとし、図３に示す様に、ここに「割引券」、「この部分を切り取ってお持ち下さい。当店お菓子を１０％割引でご購入いただけます（図１では省略）。」及び「有効期限2016.11.7〜2016.11.13」と商品を販促し、広告するための記載が為されている。そして、この左側折り込み舌片９の折り目に点線状の切り込み９ｂを設けて当該左側折り込み舌片９を左側板８から切り離し自在に形成している。
【００２１】
また、図２に示す様に、前側板２の表面を販促広告機能表示エリア２ａとし、ここにイチゴケーキの絵柄と「５周年感謝祭！」、「HAPPY ANNIVERSARY 2016.11.7(Mon)-11.13(Sun)」と販促のための特別セールの実施を知らせる（広告を）記載をしている。
【００２２】
以上の様な組立て紙箱Ａを組立てて紙箱を完成させる。上記図１は、前側板２及び前天板３を開いた状態であるが、上記左側折り込み舌片９の表面の販促広告機能表示エリア９ａが丁度、この前側板２等を開けた購入者の前になり、良く見える位置になっている。また、図４は、組立て紙箱Ａを組立てた状態であるが、前側板２の表面の販促広告機能表示エリア２ａの販促広告の記載が良く見え、購入者に新たな商品の購入意識を喚起させるものとなっている。
【００２３】
（実施の形態例２）
次に、実施の形態例２を説明する。ここでは、上記実施の形態例１の組立て紙箱Ａと相違する構成のみを説明する。上記組立て紙箱Ａでは、キャリータイプのものを使用したが、ここでは、図５、図６及び図７に示す様に、上部に把手部を設けていないボックスタイプの組立て紙箱Ｂを使用する。
【００２４】
この組立て紙箱Ｂは、図５（この図５は展開図であるが、図上の前後方向と、前側板及び後側板の位置が逆になっている。）で説明すると、底板１０の後端に折り目を介して前側板１１を設けている。また、上記底板１０の前端に折り目を介して後側板１２を設け、この後側板１２の前端に折り目を介して天板１３を設けている。
【００２５】
また、底板１０の左端に折り目を介して左側板１４を設け、この左側板１４の後端に折り目を介して略台形状の左側折り込み舌片１５を設けている。右側も同様である。また、これらの板体に付随して多数の折り込み片である舌片が折り目を介して設けられている。
【００２６】
上記左側折り込み舌片１５の表面の一部を販促広告機能表示エリア１５ａとし、ここに「割引券」、「この部分を切り取ってお持ち下さい。当店お菓子を１０％割引でご購入いただけます（図５、６では省略）。」及び「有効期限2016.2.22〜2016.3.3（図５、６では省略）」と言う商品の販促のための広告の記載が為されている。そして、上記実施の形態例１と同様に、この左側折り込み舌片１５の折り目に点線状の切り込み１５ｂを設けて当該左側折り込み舌片１５を左側板１４から切り離し自在に形成している。
【００２７】
また、図５に示す様に、前側板１１の表面を販促広告機能表示エリア１１ａとし、ここに三頭の小熊がパーティーを行っている楽しい絵柄を描き、「ひな祭りケーキ  ご予約承ります。」、「ご来店の際は、箱の内側についておりますお得な割引券をご持参ください（図５では省略）。」と販促のための特別セールの実施や上記割引券の利用を促す広告を記載している。
【００２８】
以上の様な組立て紙箱Ｂを組立てて紙箱を完成させる。この組立て紙箱Ｂの内側に入れたケーキを取り出すために、天板１３を開け、前側板１１を手前に開いた際、図６に示す様に、丁度、上記左側折り込み舌片１５の表面の販促広告機能表示エリア１５ａがこの組立て紙箱Ｂを開けた購入者の前に来て良く見える位置になる。また、図７に示す様に、上記前側板１２を閉じた状態では、前側板１２の表面の販促広告機能表示エリア１１ａが丁度良く見え、購入者に新たな商品の購入意識を喚起させるものとなっている。
【００２９】
上記実施の形態例１及び２では、キャリータイプやボックスタイプの組立て紙箱Ａ、Ｂを使用したが、この考案が実施出来るものであればこれらの紙箱に限らず、もちろん他の紙箱に使用しても良い。また、販促広告機能表示エリア９ａ、１５ａでは、販促及び広告の文字又は図柄は、販促のみ又は広告のみの場合も含まれる。
【００３０】
また、左側折り込み舌片９、１５の販促広告機能表示エリア９ａ、１５ａに「割引券」等と記載し、当該左側折り込み舌片９、１５を切り離し自在として、販促広告機能を持たせるようにしたが、販促広告機能を持たせるのは左側折り込み舌片９、１５に限らず、他の折り込み舌片でも良い。
【００３１】
また、前側板２、１１の表面の販促広告機能表示エリア２ａ、１１ａにイチゴケーキの絵柄等の記載を行い、販促広告機能を持たせるようにしたが、販促広告機能を持たせる箇所は前側板２、１１に限定するものでは無く、他の箇所、例えば天板や左右側板などでも良く、また、表面でなくても裏面でも良い。
【００３２】
さらに、左側折り込み舌片９、１５の販促広告機能表示エリア９ａ、１５ａに「割引券」、また、前側板２、１１の販促広告機能表示エリア２ａ、１１ａに「イチゴケーキ」の絵柄の中に「５周年感謝祭！」、「ひな祭りケーキ  ご予約承ります。」等記載したが、販促広告機能を持たせるために記載する文字や絵柄の内容はもちろんこれらのものに限るわけではなく、例えば、「割引券」に代えてポイントを記載して再来店を促すことでリピート客が増えるようにすることも出来る。
【００３３】
また、前記「イチゴケーキ」の絵柄及び「５周年感謝祭！」と言う記載に代えて、クリスマスケーキのご案内、創業祭等セールのお知らせ、新商品のご案内、旬のおすすめデザートのご案内、店内リニューアルのお知らせ、シェフ、パティシエからのメッセージ等々、目的や状況等によって最適な文字や絵柄の内容を記載すれば良い。
【００３４】
また、この左側折り込み舌片９、１５の折り目に点線状の切り込み９ｂ、１５ｂを設けて当該左側折り込み舌片９、１５を切り離し自在に形成しているが、上記点線状の切り込みに代えて、一端から一定長切り込んで切り離し自在としても良い（図示省略）。
【００３５】
また、左側折り込み舌片９、１５全体を切り離し自在としているが、左側折り込み舌片９、１５上の一部に設けた販促広告機能表示エリア９ａ、１５ａを区画する線を点線状の切り込み又は一定長の切り込みとして設け、当該販促広告機能表示エリア９ａ、１５ａを左側折り込み舌片９、１５から切り離し自在としても良い（図示省略）。
【符号の説明】
【００３６】
Ａ    組立て紙箱            Ｂ    組立て紙箱
１    底板                  ２    前側板        
２ａ  販促広告機能表示エリア                  ３    前天板
４    前把手部              ５    後側板      ６    後天板
７    後把手部              ８    左側板      ９    左側折り込み舌片
９ａ  販促広告機能表示エリア                  ９ｂ  切り込み
１０    底板                １１    前側板
１１ａ  販促広告機能表示エリア                １２    後側板
１３    天板                １４    左側板
１５    左側折り込み舌片    １５ａ  販促広告機能表示エリア
【図１】
0003204141.tif 000003
【図２】
0003204141.tif 000004
【図３】
0003204141.tif 000005
【図４】
0003204141.tif 000006
【図５】
0003204141.tif 000007
【図６】
0003204141.tif 000008
【図７】
0003204141.tif 000009